(57)【要約】      （修正有）【課題】吸込口に設けられる部材を削減してコスト低減を計る一方、フィルタの着脱作業を容易に行えるようにし、また、本体寸法が異なっても、少種類のフィルタで適応できるフィルタを備えたダクト型空気調和機を提供することを目的とする。【解決手段】第二フィルタユニット２０は、枠体２１ａと、中央フレーム２１ｂと、中央フレーム２１ｂと交差して縦方向に架設され、人の手指を挿入を防止する複数のガードフレーム２１ｃとからなるとともに、フィルタ２２とで構成されている。また、係止爪２１ｄと載置爪２１ｅにより枠体２１ａは吸込部に仮止固定され、装着作業が容易に行えるようになっている。また、第二フィルタユニット２０より横幅の大きい第一フィルタユニット及び第二フィルタユニット２０との組合わせを適時、変更することにより横幅の異なる本体にも適応することができるようになっている。【選択図】図５
2011185482.tif 000002
【特許請求の範囲】
【請求項１】
吸込部と、吹出部とを備えた本体内を仕切板により、送風ファンを収納した送風機室と、熱交換器と露受皿とを収納した熱交換器室とに区画し、前記吸込部にフィルタ部を着脱自在に装着してなるダクト型空気調和機において、
前記フィルタ部がフィルタユニットからなり、同フィルタユニットは、枠体と、同枠体の内部に横架された中央フレームと、同中央フレームと交差して縦方向に架設され、手指の侵入を防止する複数のガードフレームとからなるとともに、前記中央フレームと前記ガードフレームとで形成される区画にフィルタを設けてなることを特徴とするダクト型空気調和機。
【請求項２】
前記枠体の上部には、本体の上部フランジに係止する係止爪が複数設けられ、枠体下部には、本体の下部フランジに載置される載置爪が複数設けられるとともに、前記枠体には、切欠きが設けられており、前記係止爪及び前記載置爪により前記枠体を前記吸込部に仮固定し、前記切欠きに螺子を挿通させて前記吸込部に設けられた螺子孔に螺合させることにより前記フィルタ部は本体に固定されることを特徴としてなる請求項１に記載のダクト型空気調和機。
【請求項３】
前記フィルタユニットが、第一フィルタユニット及び第一フィルタユニットと横幅寸法の異なる第二フィルタユニットとからなり、これらに設けられた前記切欠きの間隔及び前記枠体の端部からの寸法が、前記吸込部に設けられた螺子孔の間隔及び本体端部からの寸法と同一に設定されることにより、前記第一フィルタユニット及び第二フィルタユニットとを組み合わせて前記本体に装着できることを特徴としてなる請求項１及び請求項２に記載のダクト型空気調和機。
【発明の詳細な説明】
【技術分野】
【０００１】
本発明は、ダクト型空気調和機に関わり、より詳細には、吸込部に装着されるフィルタユニットの構成に関するものである。
【背景技術】
【０００２】
建屋の天井空間内に設置され、熱交換器およびファンを収容して構成された本体に、吹出ダクトを接続したダクト型空気調和機が知られている。本体内は仕切板により送風機室と熱交換器室とに区画され、送風機室には複数の送風ファンと、同送風ファンを駆動するファンモータとが配設され、熱交換器室には、熱交換器と、同熱交換器から滴下する凝縮水を貯留する露受皿とが配設されている。
【０００３】
吸込口から吸込まれた空気は、送風機室の送風ファンにより熱交換器室に送出され、熱交換器を通過することにより冷媒と熱交換され、吹出ダクトが接続された吹出口から室内に送出されるようになっている。また、熱交換器の表面に凝縮した凝縮水は露受皿に滴下し、排出管を介して外部に排出されるようになっている。
【０００４】
吸込口には、吸込まれる空気に含有される塵埃を除去する複数のフィルタが着脱自在に設けられ、また、手指の侵入を防止する網目状に形成されたファンガードが設けられるようになっている。しかしながら、狭く、また、暗い天井面内で行われるメンテナンス作業等においては、フィルタ及びファンガードの着脱作業は困難を伴う作業となっていた。また、ファンガードを別部材として、また、本体幅に対応して複数設けることは、コストアップの要因となっていた。
【０００５】
フィルタの着脱作業を容易にした従来例として、例えば、図１２で示すように、ダクト型空気調和機の吸込口に設けられるフィルタユニット３０は、板金からなり枠体状に形成されたチェインバー３１と、同チェインバー３１内に収納される複数のフィルタ３２とからなっている。チェインバー３１は側面に、フィルタ３２の挿脱口３１ａを設けるとともに、内部にフィルタ３２をガイドするレールを設けている。フィルタ３２の両側面には、接合機能を備えた面エレメント３２ａが夫々設けられており、複数のフィルタ３２が挿脱口３１ａからチェインバー３１内に挿入されると、フィルタ３２同士が面エレメント３２ａにより隙間なく接合されるようになっている。
【０００６】
しかしながら、天井面内の設置スペースに余裕が無い場合、側面側からのフィルタ３２の着脱作業には制約が生じ、また、チェインバー３１を設けることによりコストアップの要因となっていた。また、ダクト型空気調和機の本体幅寸法が異なると、フィルタ３２の幅寸法を変更する必要がありコスト上昇を招いていた。
【先行技術文献】
【特許文献】
【０００７】
【特許文献１】特開２０００−２８３５４５号（３頁、図４）
【発明の概要】
【発明が解決しようとする課題】
【０００８】
本発明は、上記問題点に鑑み、吸込口に設けられる部材を削減してコスト低減を計る一方、狭く暗い天井面内でも、フィルタの着脱作業を容易に行えるようにし、また、本体寸法が異なっても、少種類のフィルタで適応できるフィルタを備えたダクト型空気調和機を提供することを目的とする。
【課題を解決するための手段】
【０００９】
本発明は、上記課題を解決するため、吸込部と、吹出部とを備えた本体内を仕切板により送風ファンを収納した送風機室と、熱交換器と露受皿とを収納した熱交換器室とに区画し、前記吸込部にフィルタ部を着脱自在に装着してなるダクト型空気調和機において、前記フィルタ部がフィルタユニットからなり、同フィルタユニットは、枠体と、同枠体の内部に横架された中央フレームと、同中央フレームと交差して縦方向に架設され、手指の侵入を防止する複数のガードフレームとからなるとともに、前記中央フレームと前記ガードフレームとで形成される区画にフィルタを設けてなる構成となっている。
【００１０】
また、前記枠体の上部には、本体の上部フランジに係止する係止爪が複数設けられ、枠体下部には、本体の下部フランジに載置される載置爪が複数設けられるとともに、前記枠体には、切欠きが設けられており、前記係止爪及び前記載置爪により前記枠体を前記吸込部に仮固定し、前記切欠きに螺子を挿通させて前記吸込部に設けられた螺子孔に螺合させることにより前記フィルタ部は本体に固定される構成となっている。
【００１１】
また、前記フィルタユニットが、第一フィルタユニット及び第一フィルタユニットと横幅寸法の異なる第二フィルタユニットとからなり、これらに設けられた前記切欠きの間隔及び前記枠体の端部からの寸法が、前記吸込部に設けられた螺子孔の間隔及び本体端部からの寸法と同一に設定されることにより、前記第一フィルタユニット及び第二フィルタユニットとを組み合わせて前記本体に装着できる構成となっている。
【発明の効果】
【００１２】
請求項１の発明によれば、フィルタユニットが、人の手指の挿入を阻止できるガードフレームを備えた枠体と、同枠体内に設けられたフィルタとで一体で形成されることにより、本体への装着作業工数を低減できるようになっている。
【００１３】
請求項２の発明によれば、フィルタユニットを本体の吸込部に装着する際は、本体の正面側から載置爪及び係止爪を用いて仮止固定を行い、続いて切欠きに螺子を挿通させて本体への螺子止作業を行えば、狭い天井面内でも装着作業を容易に行うことができるようになっている。
【００１４】
請求項３の発明によれば、本体の吸込部に、第一フィルタユニット及び第二フィルタユニットが共通して装着できる一方、ダクト型空気調和機の機種の相違により、本体の横幅寸法が異なっても、第一フィルタユニットと第二フィルタユニットの組み合わせを適宜変更すれば、多機種に対応して吸込部にフィルタユニットを装着することができ、コスト低減を行うことができるようになっている。
【図面の簡単な説明】
【００１５】
【図１】本発明によるダクト型空気調和機の外観斜視図である。
【図２】本発明によるダクト型空気調和機の断面図である。
【図３】本発明によるダクト型空気調和機において天板を外した状態を示す斜視図である。
【図４】フィルタユニットの本体への装着を示す斜視図である。
【図５】第二フィルタユニットの詳細構造を示す説明図である。
【図６】第一フィルタユニットの詳細構造を示す説明図である。
【図７】第二フィルタユニットの断面図である。
【図８】第一フィルタユニットと第二フィルタユニットの相違を示す説明図である。
【図９】フィルタユニットの本体への装着を示す説明図である。
【図１０】フィルタユニットの本体への装着を示す説明図である。
【図１１】フィルタユニットの本体への装着を示す説明図である。
【図１２】従来のダクト型空気調和機のフィルタ部を説明する斜視図である。
【発明を実施するための形態】
【００１６】
以下、本発明の実施の形態を、添付図面に基づいた実施例として詳細に説明する。
【実施例１】
【００１７】
本発明によるダクト型空気調和機は、図１の斜視図で示すように、天板５と、左側パネル３及び右側パネル４と、吹出ダクトが接続される前面板７とで筐体を構成し、同筐体に、後述する露受皿１６を挿入するとともに、底板２を被着して本体１を構成するようになっている。同本体１の後面は、吸込まれる空気に含有される塵埃を除去するフィルタ部１８が設けられた吸込部６となっており、吸込部６から吸込まれた空気は、後述する熱交換器１５内を流れる冷媒と熱交換されて、前面板７に接続された吹出ダクトにより室内に送出されるようになっている。また、本体１の左側パネル３、右側パネル４及び天板５の内側あるいは外側表面には、これらの表面に結露が発生することを防止する、図示しない断熱材が貼着されている。
【００１８】
左側パネル３の上部及び右側パネル４の上部には、図示はしていないが、複数の吊金具が設けられており、これら吊金具は建屋の天井から垂下された吊りボルトに固定されて、本体は建屋の天井と室内の天井面との間に横置状態で吊り下げ設置されるようになっている。
【００１９】
本体１内は、図２の断面図で示すように、仕切板８により前後に区画され、区画された一方の吸込部６側には送風機室９が設けられ、区画された他方の前面板７側には熱交換器室１０が設けられている。
【００２０】
送風機室９には、図２の断面図及び図３の斜視図で示すように、送風ファン１１が横方向に複数台設けられている。同送風ファン１１は、吸込口１２ａを両側に備え、吹出部１２ｂの先端部に吹出口１２ｃを開口したケーシング１２と、同ケーシング１２内に回転自在に収納され、吸込口１２ａの両側に回転軸を突出させた回転ブレード１３とからなり、ケーシング１２の吹出部１２ｂは仕切板８に固定されるようになっている。
【００２１】
尚、送風ファン１１はシロッコファンであり、ケーシング１２の両側の吸込口１２ａから吸入した空気を、ブレードを周上に配設した回転ブレード１３の回転により吹出部１２ｂの吹出口１２ｃから熱交換器室１０に送出するようになっている。
【００２２】
送風ファン１１の間には、夫々の送風ファン１１の回転ブレード１３を回転駆動させる、両側に回転軸を突出させたファンモータ１４が設けられている。同ファンモータ１４の回転軸は、両側に位置する送風ファン１１の回転軸に連結される一方、送風ファン１１の回転軸は図示しない連結部材を介して夫々連結されており、これにより、複数の送風ファン１１がファンモータ１４により駆動されるようになっている。
【００２３】
熱交換器室１０には、前面板７から仕切板８に向かって下方に傾斜した熱交換器１５が設けられている。同熱交換器１５は、並列した多数のフィンと、同フィンに直交するように蛇行状に配設された伝熱管とからなり、同伝熱管は配管により図示しない室外機に接続されるようになっている。また、熱交換器室１０の底面には、熱交換器１５のフィン表面で凝縮した凝縮水を受ける露受皿１６が設けられている。同露受皿１６は、本体１が横置状態で設置された際、熱交換器１５から滴下する凝縮水を受ける底面１６ｃを有した主底面部１６ａと、本体１が縦置状態で設置された際、熱交換器１５から滴下する凝縮水を受ける底面１６ｄを有した副底面部１６ｂとからなる断面Ｌ字状に形成されている。
【００２４】
前面板７には、図示しない吹出ダクトが接続されるように、矩形状の吹出ダクト接続フランジ１７が形成されており、吹出ダクトの一端は、吹出ダクト接続フランジ１７に穿設された複数の螺子孔１７ａにより本体１に接続される一方、吹出ダクトの他端は、室内天井に設けられた開口部に接続されるようになっている。
【００２５】
本体１の吸込部６から吸込まれた空気は、送風機室９の送風ファン１１により熱交換器室１０に送出され、熱交換器１５で冷媒と熱交換された後、前面板７の吹出ダクト接続フランジ１７に接続された吹出ダクトを介して室内に吹出され、室内の冷暖房を行うようになっている。
【００２６】
次に、吸込部６に装着されるフィルタ部１８について説明する。図４で示すように、フィルタ部１８は、第一フィルタユニット１９及び第一フィルタユニット１９より横幅の小さい第二フィルタユニット２０により複数に分割されて形成されており、これら第一フィルタユニット１９及び第二フィルタユニット２０は、吸込部６に着脱自在に装着されるようになっている。
【００２７】
次に、第二フィルタユニット２０の構成について説明する。第二フィルタユニット２０は、図５に示すように、枠体２１ａと、同枠体２１ａの内部中央に幅方向に横架された中央フレーム２１ｂと、枠体２１ａの内部に、中央フレーム２１ｂと交差して縦方向に架設された複数のガードフレーム２１ｃとからなるとともに、中央フレーム２１ｂとガードフレーム２１ｃとで形成される区画に貼着された、不織布等からなるフィルタ２２とで構成されている。尚、これに限定されるものではなく、フレームとフィルタとを樹脂加工で一体に形成してもよい。
【００２８】
枠体２１ａの上部には、図７の断面図で示すように、図５で示す枠体２１ａの背面側に突出し、吸込部６の点線で示す上部フランジ２３ａに係止する係止爪２１ｄが複数設けられ、枠体２１ａの下部には、同様に枠体２１ａの背面側に突出し、吸込部６の点線で示す下部フランジ２３ｂに載置されるＬ形状に形成された載置爪２１ｅが複数設けられている。また、同載置爪２１ｅの下方には、下部フランジ２３ｂに穿設された螺子孔２４に螺合される螺子が挿通する切欠き２１ｆが設けられている。
【００２９】
また、枠体２１ａの左端と、最も左端側に位置する係止爪２１ｄ、載置爪２１ｅ及び切欠き２１ｆとの間隔は、後述する本体１の下部フランジ２３ｂに設けられた螺子孔２４と同様に、寸法Ｃに設定され、係止爪２１ｄ、載置爪２１ｅ及び切欠き２１ｆ同士の間隔も、螺子孔２４同士と同様に，寸法Ｄに設定されている。
【００３０】
横幅の長い第一フィルタユニット１９も、図６に示すように、上記した第二フィルタユニット２０と同構成なので詳細な説明は省略するが、第一フィルタユニット１９は第二フィルタユニット２０に比べて、係止爪１９ｄ及び載置爪１９ｅの個数が多く設けられている。また、これらの間隔も、第二フィルタユニット２０と同様に設定されている。
【００３１】
第一フィルタユニット１９及び第二フィルタユニット２０に縦状に設けられた複数のガードフレーム１９ｃ、２１ｃは、ガードフレーム同士の間隔が、人の手指を挿入することができない間隔に設定されており、フィルタ２２が手指により押圧され撓んだとしてもガードフレーム１９ｃ、２１ｃにより使用者が誤って本体１の吸込部６内に手指を挿入してしまうというような不具合発生を防止するようになっている。
【００３２】
第一フィルタユニット１９及び第二フィルタユニット２０が、人の手指の挿入を阻止できるガードフレーム１９ｃ、２１ｃを備えた枠体１９ａ、２１ａと、同枠体１９ａ、２１ａ内に貼設されたフィルタ２２とで構成されることにより、従来、フィルタとは別部材で構成され、人の手指の挿入を防止するファンガードが不要となり部品点数を削減してコスト低減が計れるとともに、メンテナンス作業において、狭く暗い天井面内でも、フィルタとファンガードとが別々に装着作業を行う必要がなくなり、メンテナンス作業が容易に行えるようになっている。
【００３３】
次に、図８に示す横幅寸法がＡである第一フィルタユニット１９と、横幅寸法がＢである第二フィルタユニット２０の、本体１に形成された吸込部６への装着について説明する。本体１の吸込部６の上部には、図９及び図７の断面図で示すように、上部フランジ２３ａが設けられ、下部には、複数の螺子孔２４を穿設した下部フランジ２３ｂが設けられている。
【００３４】
第二フィルタユニット２０を吸込部６に装着する際は、まず枠体２１ａの左端に位置する切欠き２１ｆを下部フランジ２３ｂの左端に位置する螺子孔２４に一致させるようにして、Ｌ形状に形成された載置爪２１ｅを下部フランジ２３ｂに掛かるようにする。次に、枠体２１ａを載置爪２１ｅを中心として回動させ、上部の係止爪２１ｄを上部フランジ２３ａに押し込むと、係止爪２１ｄが上部フランジ２３ａに係止され、枠体２１ａは吸込部６に仮止固定されるようになっている。続いて、図示しない複数の螺子を切欠き２１ｆに挿通させるとともに、下部フランジ２３ｂに穿設された螺子孔２４に螺合させることにより第二フィルタユニット２０は吸込部６に固定されるようになっている。尚、第一フィルタユニット１９も同様にして装着される。
【００３５】
上記したように、第二フィルタユニット２０を吸込部６に装着する際は、本体１の正面側から上記した載置爪２１ｅ及び係止爪２１ｄを用いて仮止固定を行い、続いて切欠き２１ｆに螺子を挿通させて螺子孔２４に螺子止作業を行えば装着を行なうことができ、例えば、狭い天井面内でも装着作業を容易に行うことができるようになっている。
【００３６】
吸込部６に、第一フィルタユニット１９及び第二フィルタユニット２０の二個のフィルタユニットを装着する機種においては、図９に示すように、下部フランジ２３ｂに、螺子孔２４をまず吸込部６の左端側から間隔Ｃで穿設し、続いて、間隔Ｄ→間隔Ｄ→間隔Ｄ→間隔Ｃ→間隔Ｃ→間隔Ｄ→間隔Ｄというように計８個の螺子孔２４を穿設する。これにより、長めの第一フィルタユニット１９と第二フィルタユニット２０が吸込部６に装着することができるようになっている。
【００３７】
また、吸込部６に、長めの第一フィルタユニット１９を二個、装着する幅広の機種においては、図１０に示すように、下部フランジ２３ｂに、螺子孔２４をまず吸込部６の左端側から間隔Ｃで穿設し、続いて、間隔Ｄ→間隔Ｄ→間隔Ｄ→間隔Ｃ→間隔Ｃ→間隔Ｄ→間隔Ｄ→間隔Ｄというように計９個の螺子孔２４を穿設する。これにより、長めの第一フィルタユニット１９が二個、吸込部６に装着することができるようになっている。
【００３８】
また、吸込部６に、第二フィルタユニット２０を二個、装着する幅狭の機種においては、図１１に示すように、下部フランジ２３ｂに、螺子孔２４をまず吸込部６の左端側から間隔Ｃで穿設し、続いて、間隔Ｄ→間隔Ｄ→間隔Ｃ→間隔Ｃ→間隔Ｄ→間隔Ｄというように計７個の螺子孔２４を穿設する。これにより、第一フィルタユニット１９より短い第二フィルタユニット２０が二個、吸込部６に装着することができるようになっている。
【００３９】
上記したように、幅狭あるいは送風ファンの台数が多い幅広の機種においても、螺子孔２４の配置箇所を変更するとともに、第一フィルタユニット１９及び第二フィルタユニット２０の組み合わせを適宜、変更すれば、多機種に対応して吸込部６に第一フィルタユニット１９と第二フィルタユニット２０とを装着することができ、これによりコスト低減を行うことができるようになっている。尚、フィルタユニットは、第一フィルタユニット１９及び第二フィルタユニット２０に限定されるものではなく、更に横幅の異なるフィルタユニットを設けても良い。
【符号の説明】
【００４０】
１  本体
２  底板
３  左側パネル
４  右側パネル
５  天板
６  吸込部
７  前面板
８  仕切板
９  送風機室
１０  熱交換器室
１１  送風ファン
１２  ケーシング
１２ａ  吸込口
１２ｂ  吹出部
１２ｃ  吹出口
１３  回転ブレード
１４  ファンモータ
１５  熱交換器
１６  露受皿
１６ａ  主底面部
１６ｂ  副底面部
１６ｃ  底面
１６ｄ  底面
１６ｅ  排出管
１７  吹出ダクト接続フランジ
１７ａ  螺子孔
１８  フィルタ部
１９  第一フィルタユニット
２０  第二フィルタユニット
２１ａ  枠体
２１ｂ  中央フレーム
２１ｃ  ガードフレーム
２１ｄ  係止爪
２１ｅ  載置爪
２１ｆ  螺子挿通孔
２２  フィルタ
２３ａ  上部フランジ
２３ｂ  下部フランジ
２４  螺子孔
【図１】
2011185482.tif 000003
【図２】
2011185482.tif 000004
【図３】
2011185482.tif 000005
【図４】
2011185482.tif 000006
【図５】
2011185482.tif 000007
【図６】
2011185482.tif 000008
【図７】
2011185482.tif 000009
【図８】
2011185482.tif 000010
【図９】
2011185482.tif 000011
【図１０】
2011185482.tif 000012
【図１１】
2011185482.tif 000013
【図１２】
2011185482.tif 000014